(57)【要約】【課題】  賞品箱の移動が容易に行える遊技機島の膳板装置を提供する。【解決手段】  膳板装置２は、膳板本体１０を有し、この膳板本体１０上にはガイド溝孔２１ａ、２１ａが形成された表部材２０が結合される。可動プレート４０は、表部材２０上で、ガイド溝孔２１ａ、２１ａに挿通されたネジ４２によって表部材２０の下方の中間部材３０と結合される。中間部材３０には膳板本体１０に支持されるキャスタ５０が固定されている。このキャスタ５０の支持で、可動プレート４０はガイド溝孔２１ａに沿って表部材２０上で容易に移動することができる。【選択図】      図１
2005319182.tif 000002
【特許請求の範囲】
【請求項１】
遊技機島に配設される膳板装置であって、
遊技機の下皿の下方に固定される表部材と、
賞品箱を載置するための可動プレートとを備え、
前記可動プレートは前記表部材上で横方向に移動可能に配置されていることを特徴とする膳板装置。
【請求項２】
前記可動プレートの移動を案内する案内手段を設けたことを特徴とする請求項１に記載の膳板装置。
【請求項３】
遊技機島に配設される膳板装置であって、
遊技機の下皿の下方に固定される膳板本体と、
前記膳板本体上に結合される表部材と、
前記表部材の上方に前記表部材と間隔をあけて配置される可動プレートと、
前記可動プレートに対応し、前記表部材を挟むように前記表部材の下方に前記表部材と間隔をあけて配置される中間部材と、
前記膳板本体に支持されるように前記中間部材に固定される支持部材と、
前記可動プレートの移動を案内する案内手段とを備え、
前記表部材に横方向に延びるガイド溝孔が形成され、前記可動プレートと前記中間部材とが、前記ガイド溝孔に挿通された連結手段によって連結されるとともに、前記ガイド溝孔と前記連結手段は前記案内手段として、前記可動プレートの移動を案内することを特徴とする膳板装置。
【請求項４】
前記ガイド溝孔は、前記遊技機の下皿と対応させた位置で、横方向に直線状に延びた後、外側へいくほど前記遊技機から離れるようにさらに延びるようにしたことを特徴とする請求項３に記載の膳板装置。
【発明の詳細な説明】
【技術分野】
【０００１】
本発明は、遊技機島に配設され、賞品箱の載置に供される膳板装置に関する。
【背景技術】
【０００２】
一般に、遊技機島には賞品箱を載置するための膳板が配設されている。従来この膳板は、木製または金属製の板で構成されている（特許文献１参照）。遊技を行う際に、遊技者は膳板上に賞品箱を載せて、遊技機からの遊技媒体を一時的に貯留しながら遊技を行う。賞品箱が満杯あるいは一定量が溜まった状態になると、遊技者は賞品箱を床へ運び自分の足元で積み上げるようにする。
【特許文献１】特開２００３−１１７２１２号公報（段落００１５、図１）
【発明の開示】
【発明が解決しようとする課題】
【０００３】
ところが、前記従来の膳板においては、賞品箱を床へ運ぶ際、遊技者がそのまま賞品箱を持ち上げて運ばなければならず、運びにくいという問題があった。すなわち、従来の膳板は板だけで構成された簡単なもので、重い賞品箱を膳板上で容易に移動させることができないため、遊技者は無理な姿勢で膳板上から賞品箱を運ばざるを得なかった。
本発明は、前記従来の問題点に鑑み、賞品箱の移動が容易に行え、遊技者が運びやすい姿勢で賞品箱の運びができる膳板装置を提供することを目的とする。
【課題を解決するための手段】
【０００４】
請求項１に記載の発明は、遊技機島に配設される膳板装置であって、遊技機の下皿の下方に固定される表部材と、賞品箱を載置するための可動プレートとを備え、前記可動プレートは前記表部材上で横方向に移動可能に配置されている膳板装置とした。
【０００５】
請求項２に記載の発明は、請求項１に記載の膳板装置であって、前記可動プレートの移動を案内する案内手段を設けるようにした。
【０００６】
請求項３に記載の発明は、遊技機島に配設される膳板装置であって、遊技機の下皿の下方に固定される膳板本体と、前記膳板本体上に結合される表部材と、前記表部材の上方に前記表部材と間隔をあけて配置される可動プレートと、前記可動プレートに対応し、前記表部材を挟むように前記表部材の下方に前記表部材と間隔をあけて配置される中間部材と、前記膳板本体に支持されるように前記中間部材に固定される支持部材と、前記可動プレートの移動を案内する案内手段とを備え、前記表部材に横方向に延びるガイド溝孔が形成され、前記可動プレートと前記中間部材とが、前記ガイド溝孔に挿通された連結手段によって連結されるとともに、前記ガイド溝孔と前記連結手段は前記案内手段として、前記可動プレートの移動を案内する膳板装置とした。
【０００７】
請求項４に記載の発明は、請求項３に記載の膳板装置であって、前記ガイド溝孔は、前記遊技機の下皿と対応させた位置で、横方向に直線状に延びた後、外側へいくほど前記遊技機から離れるようにさらに延びるようにした。
【発明の効果】
【０００８】
請求項１に記載の発明によれば、表部材上で横方向に移動可能な可動プレートが配置されているため、可動プレートの移動で、賞品箱を容易に横方向に移動させることができる。これによって、賞品箱を運ぶ際、遊技者は賞品箱を自分の横側に移動させ、運びやすい姿勢で賞品箱を床などに運ぶことができる。
【０００９】
請求項２に記載の発明によれば、可動プレートの移動を案内する案内手段を設けたため、可動プレートの移動経路が規制される。これによって請求項１の効果に加えて、賞品箱を容易に目的位置に移動させることができる。
【００１０】
請求項３に記載の発明によれば、膳板本体上に結合される表部材にガイド溝孔が形成され、表部材の上方に配置される可動プレートは、ガイド溝孔に挿通される連結手段によって、表部材の下方の中間部材と連結されるので、連結手段とガイド溝孔が案内手段として機能し、可動プレートと中間部材が一体になってガイド溝孔に沿って移動することができる。そして、中間部材は支持部材によって膳板本体に支持され、また、中間部材、可動プレートと表部材との間にそれぞれ間隔があけられているので、表部材に接触させることなく、可動プレートを移動させることができる。
これによって、請求項１または請求項２と同様に、賞品箱を運ぶ際、遊技者は賞品箱を自分の横側の目的位置に移動させ、運びやすい姿勢で賞品箱を運ぶことができる。
【００１１】
請求項４に記載の発明によれば、ガイド溝孔は、遊技機の下皿と対応させた位置で、横方向に直線状に延びた後、外側へいくほど遊技機から離れるようにさらに延びるようにしたことによって、請求項１ないし請求項３の効果に加えて、賞品箱を移動させる際、賞品箱と遊技者との間に適切な間隔を確保することができる。
【発明を実施するための最良の形態】
【００１２】
以下、本発明に係る膳板装置の実施の形態を説明する。図１は膳板装置の構成を示す分解斜視図で、図２は図１におけるＡ−Ａ断面図である。
膳板装置２は、遊技機島の腰板に固定される膳板本体１０と、この膳板本体１０に結合される表部材２０と、表部材２０の上方に配置される可動プレート４０と、可動プレート４０に対応して、表部材２０を挟むようにその下方に配置される中間部材３０と、中間部材３０に固定されるキャスタ（支持部材）５０とを備えている。
【００１３】
膳板本体１０は、金属板をプレス加工することによって形成されたもので、底板１１と、この底板１１の縁から起立した壁板１２を有する。底板１１は、矩形をなしており、その長手方向を左右とした状態で、手前左側に略三角形状に突出した突出部１１ａを有している。また、壁板１２は、底板１１の右側縁を除いた各縁から起立している。壁板１２のうち、底板１１の縁Ｙに位置する壁板部分を、膳板装置２を遊技機島へ取り付ける際の取付板１５とし、取付板１５には遊技機島の腰板に固定するためのボルトが通される二つの貫通孔１６が設けられている。取付板１５を含む壁板１２の上端面Ｈには、内側に折り曲げた４つの固定片１３が形成され、各固定片１３にはネジ孔１４が設けられている。
取付板１５を含む壁板１２の高さは、中間部材３０の厚さとキャスタ５０の高さの合計値より高く設定されている。
【００１４】
表部材２０は、金属板で形成され、膳板本体１０の底板１１と同一形状とされる。すなわち、長手方向を左右とした矩形の手前左側を略三角形状に突出させた形状を有している。表部材２０には、２つのガイド溝孔２１ａ、２１ａが一定の間隔をもって平行して形成されている。二つのガイド溝孔２１ａ、２１ａは、縁Ｌ方向における略中央部で、縁Ｌに平行して直線状に延び、その後、左外側へいくほど縁Ｌから離れるように円弧状に延びている。
【００１５】
この膳板装置２は、図３に示すように遊技機１に対応した位置で、長手方向が遊技機１と平行して遊技機島に取り付けられ、遊技機島に取り付けられた状態では、ガイド溝孔２１ａ、２１ａは、遊技機１の下皿７（図４参照）の下方で横方向に直線状に延びた後、円弧状に遊技機１から離れるように延びることになっている。
表部材２０には、膳板本体１０側のネジ孔１４に対応させた貫通孔２４が４つ形成されている。
【００１６】
中間部材３０は、金属板で形成され、角部を切った矩形形状を有し、その四角にキャスタ５０が固定されている。中間部材３０には、キャスタ５０の取付位置に、二つのガイド溝孔２１ａ、２１ａの間の間隔に対応して四つのネジ孔３１が形成されている。
キャスタ５０は、回転ボールを有するボール型のキャスタである。
【００１７】
可動プレート４０は、中間部材３０などと同様に金属板で形成され、矩形の短辺を外側へ円弧状に突出させた変形矩形形状を有し、中間部材３０に形成されたネジ孔３１に対応させた貫通孔４１が形成されている。この可動プレート４０の表面、すなわち賞品箱を載せる面には、例えば遊技場の宣伝用の模様を入れることができる。
可動プレート４０と中間部材３０とは、表部材２０を挟み、可動プレート４０の長手方向を表部材２０の長手方向と一致させた状態で、ガイド溝孔２１ａ、２１ａに挿通されたネジ４２によって連結されるが、可動プレート４０、中間部材３０と表部材２０との間に一定の間隔を保持するために、表部材２０のガイド溝孔２１ａ、２１ａにスペーサ６０を設け、可動プレート４０と中間部材３０を連結するネジ４２はスペーサ６０を通すようにしている。これによって、可動プレート４０と中間部材３０は一体となって、表部材２０と一定の間隔を維持した状態で、表部材２０に対して移動可能になるとともに、表部材２０から脱落することはない。
ネジ４２とスペーサ６０が、特許請求の範囲の請求項３における連結手段を構成している。
このように、可動プレート４０と中間部材３０とが連結された状態で表部材２０を、膳板本体１０上に位置させ、貫通孔２４にネジ２２を通し、膳板本体１０側のネジ孔１４にねじ込むと、膳板装置２が組み立てられる。
【００１８】
組み立てた状態では、図２に示すように膳板本体１０の壁板１２の上端面Ｈが、中間部材３０の上端面より高くなっているので、膳板本体１０に結合された表部材２０と中間部材３０との間に一定の間隔が形成される。そして、中間部材３０と可動プレート４０との間には、スペーサ６０が介在されているので、可動プレート４０と表部材２０との間にも、一定の間隔が形成される。中間部材３０は、キャスタ５０によって膳板本体１０の底板１１に支持されている。したがって、可動プレート４０と中間部材３０を、表部材２０に接触させることなく移動させることが可能で、可動プレート４０は、表部材２０上で容易に移動できるようになる。ガイド溝孔２１ａ、２１ａとスペーサ６０は、可動プレート４０を移動する際の案内手段として機能するので、可動プレート４０はガイド溝孔２１ａ、２１ａに沿って目的位置に移動することができる。
【００１９】
次に、前記膳板装置２の使用方法について説明する。図３は、膳板装置を遊技機島に取り付けた状態を示す上面図である。なお、ここでは、遊技機を外した状態を図示している。
遊技機島では、遊技機１の幅に対応して、支柱４が等間隔に複数立設され、支柱４の下方に、遊技機１の取付位置までの高さを有する腰板５が固定されている。
膳板装置２は、各遊技機１の取付位置で、右端部を遊技機１の右端部と略一致させた状態で遊技機島に取り付けられる。取付作業では、表部材２０を外した状態で、膳板本体１０の取付板１５（図１参照）を腰板５側に位置させ、取付板１５の上端面Ｈ（図１参照）を腰板５の上端面と一致させた状態で、取付板１５内の貫通孔１６に図示しないボルトを通して、膳板本体１０の腰板５への固定を行う。その後、表部材２０を膳板本体１０に結合し、最も右側にある膳板本体１０の開放している右端部を化粧用の板で封止すると、取り付けが完了する。
【００２０】
膳板装置２を取り付けることによって、各遊技機１の下方に横方向に移動可能な可動プレート４０が備えられることになる。可動プレート４０は、遊技機１の中央部位置から移動するとき、矢印Ｍで示すようにガイド溝孔２１ａ、２１ａに沿って直線状に移動した後、円弧状に遊技機１から離れるように移動するため、滑らかな移動ができるとともに、移動する際に、可動プレート４０と椅子３に座る遊技者との間に適切な間隔を確保することができる。
【００２１】
図４は、遊技機を取り付けた遊技機島の斜視図である。ここで、遊技機１としては、パチンコ遊技機が取り付けられている。
遊技者は、図示しない椅子に座り、遊技機１と遊技機１の間に設置された貸玉機にコインを投入すると、上皿６に一定量の賞球が排出される。これらの賞球は打球されるが、当りがでると、上皿６にさらに賞球が排出される。ここで、上皿６がいっぱいになると、遊技機内部の制御機構によって、賞球が下皿７に排出されることになる。
【００２２】
このとき、遊技者は、可動プレート４０上に賞品箱８を載せ、図示しない排出ボタンを押すと、下皿７内の開閉機構が開き、賞球が賞品箱８に落とされる。これによって、下皿７が再び賞球を受けることができ、遊技を続けることができる。
賞品箱８に一定量の賞球が溜まった段階で、遊技者は賞品箱８を押して自分の横側に移動させる。このとき、賞品箱８と遊技者との間に適切な間隔が保たれているので、遊技者は腕を伸ばせ運びやすい姿勢で賞品箱８を運ぶことができる。
【００２３】
以上で具体的な実施の形態の説明を終えるが、本発明の態様はこの実施の形態に限られるものではなく、本発明の趣旨を逸脱しない範囲で適宜変更可能である。例えば、膳板本体１０の底板１１上で、キャスタ５０が移動する軌跡位置に窪みをつけ、可動プレート４０を所定の位置に位置保持を容易にすることもできる。
また、二つのガイド溝孔２１ａ、２１ａの全体を直線状あるいは曲線状とすることも可能である。さらには、左側だけでなく、右側にもガイド溝孔２１ａ、２１ａを延ばすことができる。
【００２４】
また、遊技機１としては、パチンコ遊技機である必要はなく、回胴式遊技機にも適用できる。回胴式遊技機の場合は、パチンコ遊技機のように、排出ボタン操作で賞球を落とすような開放機構がないため、手作業でコインを賞品箱に移動することになるが、移動した後は、パチンコ遊技機と同様に、賞品箱を押して自分の横側に移動させたうえで、床上または遊技機島の上の載置場所に運ぶことができる。
さらに、膳板装置２としては、遊技機毎に対応して構成する必要もなく、複数の遊技機に対応して膳板本体１０と表部材２０を一つの部材として構成することもできる。
【００２５】
次に、膳板装置２に灰皿を備えた場合の構成を説明する。
前記のように膳板装置２では表面に移動可能な可動プレート４０が備えられているので、灰皿は可動プレート４０と干渉しないように取り付けられる必要がある。すなわち、従来のように膳板に灰皿を挿入するための貫通穴を開け、貫通穴の端部で灰皿を支持するような取付構造では、灰皿に取り付けられた揉み消しプレートなどが膳板の表面から突出し、可動プレート４０の移動を邪魔する可能性がある。
図５は灰皿を膳板装置に取り付けるための取付構成を示す図である。なお、図５は図１における灰皿を取り付けた状態でのＢ−Ｂ断面図である。
図１で示すように、表部材２０には灰皿を取り付けるための貫通穴２５が形成されている。この貫通穴２５は図５の断面図で示すように凹状になっており、段差部２６で灰皿７０を支持できるようになっている。灰皿７０は、段差部２６の中央穴に挿入可能な灰皿本体７１と灰皿本体７１の開口部７２に取り付けられた揉み消しプレート７３を備えている。この灰皿７０は、灰皿本体７１の開口部７２が鍔状に形成され、上面において揉み消しプレート７３を支持し、下面においては段差部２６で支持されるようになっている。段差部２６から表部材２０の表面までの高さは灰皿７０に取り付けられた揉み消しプレート７３および開口部７２の縁が表部材２０の表面から突出しないように設定される。灰皿７０が膳板装置２に取り付けられた状態では、灰皿本体７１の底部が膳板本体１０に当たらないように灰皿本体７１の高さが設定されている。
したがって、膳板装置２に前記のように灰皿７０を取り付けても、灰皿７０の一部が表部材２０の表面から突出して可動プレート４０と干渉することはない。
【００２６】
図６は灰皿の取付構造における変形例を示す図である。
膳板装置２は下方に吸殻などを収納器へ運ぶベルトコンベヤを設けることもできる。この場合、吸殻などをベルトコンベヤに落とすため、図１に示すように膳板本体１０に、表部材２０における貫通穴２５と対応させた貫通穴１７をさらに設けるようにしても構わない。
ベルトコンベヤ８０が膳板装置２の下方で、膳板本体１０と一定の間隔を持って取り付けられ、矢印方向に移動可能となっている。灰皿７０ａは無底の灰皿本体７１ａと揉み消しプレート７３ａからなっている。灰皿本体７１ａは膳板本体１０に形成された貫通穴１７を通過するほどの高さを有している。灰皿本体７１ａは前記と同様に開口部７２ａが鍔状に形成され、上面において揉み消しプレート７３ａを支持し、下面においては段差部２６で支持されるようになっている。
したがって、膳板装置２に吸殻などをベルトコンベヤ８０に落とすための灰皿７０ａを取り付けても、灰皿７０ａの一部が表部材２０の表面から突出して可動プレート４０と干渉することはない。また灰皿７０ａに落とされた吸殻などが膳板装置２の内部を汚さずにベルトコンベヤ８０に排出されることができる。
【図面の簡単な説明】
【００２７】
【図１】本発明にかかる膳板装置の構成を示す分解斜視図である。
【図２】本発明にかかる膳板装置の断面図である。
【図３】本発明にかかる膳板装置を遊技機島に取り付けた状態を示す上面図である。
【図４】本発明にかかる膳板装置を取り付けた遊技機島の斜視図である。
【図５】本発明にかかる灰皿を膳板装置に取り付けるための取付構成を示す図である
【図６】本発明にかかる灰皿の取付構造における変形例を示す図である。
【符号の説明】
【００２８】
１      遊技機
２      膳板装置
４      支柱
５      腰板
６      上皿
７      下皿
１０    膳板本体
１１    底板
１１ａ  突出部
１２    壁板
１３    固定片
１４    貫通孔
１５    取付板
１６    貫通孔
１７    貫通穴
２０    表部材
２１ａ  ガイド溝孔
２４    貫通孔
２５    貫通穴
２６    段差部
３０    中間部材
３１    ネジ孔
４０    可動プレート
４１    貫通孔
５０    キャスタ
６０    スペーサ
７０、７０ａ    灰皿
７１、７１ａ    灰皿本体
７２、７２ａ    開口部
７３、７３ａ    揉み消しプレート
【図１】
2005319182.tif 000003
【図２】
2005319182.tif 000004
【図３】
2005319182.tif 000005
【図４】
2005319182.tif 000006
【図５】
2005319182.tif 000007
【図６】
2005319182.tif 000008